(57)【要約】【課題】熱交換器室内にデッドスペースを形成せずに複数台の熱交換器を適切に配置し、各熱交換器を大型化すると共に、熱交換器室内に作業スペース及び通路スペースを確保できる建設機械を提供する。【解決手段】上部旋回体５に画成した熱交換器室２６内の前側半分に２台のオイルクーラ３０，３２を対面配置すると共に、後側半分に１台のオイルクーラ３１を配置し、それらの間に形成された空間Ｅを作業及び通路スペースとして利用する。冷却ファン３５により外気を冷却風として各オイルクーラ３０〜３２に流通させ、対向配置した２台３０，３２を流通後の冷却風を互いに衝突させて、熱交換器室２６の前壁２６ａの側部排出口３８及び天井２６ｅの第１の上部排出口３９を経て外部に排出すると共に、他の１台３１を流通後の冷却風を左側壁２６ｃに衝突させて、天井２６ｅの第２の上部排出口４０を経て外部に排出する。【選択図】図５
2020023790.tif 000002
【特許請求の範囲】
【請求項１】
機体に画成された熱交換機室と、
前記熱交換器室内で所定間隔をおいて対面配置され、それぞれ冷却ファンにより外部から前記熱交換器室内に導入された外気を冷却風として流通させて冷却される少なくとも一対の第１の熱交換器と、
前記熱交換器室の第１の側壁における前記両第１の熱交換器の間に相当する箇所に開口形成され、前記各第１の熱交換器を流通して前記熱交換器室内で互いに衝突した冷却風を側方外部に排出する側部排出口と
を備えたことを特徴とする建設機械。
【請求項２】
前記熱交換機室の天井における前記両第１の熱交換器の間に相当する箇所に開口形成され、前記各第１の熱交換器を流通して前記熱交換器室内で互いに衝突した冷却風を上方外部に排出する第１の上部排出口をさらに備えた
ことを特徴とする請求項１に記載の建設機械。
【請求項３】
前記熱交換器室内において、前記第１の熱交換器の何れか一方に対して並設された第２の熱交換器と、
前記熱交換機室の天井における前記熱交換器に対して相対向する第２の側壁の直上に相当する箇所に開口形成され、前記第２の熱交換器を流通して前記第２の側壁に衝突した冷却風を上方外部に排出する第２の上部排出口とをさらに備えた
ことを特徴とする請求項２に記載の建設機械。
【請求項４】
前記各第１の熱交換器の冷却ファンは、それぞれ斜軸型プランジャ油圧モータにより回転駆動され、
前記斜軸型プランジャ油圧モータのシリンダブロックは、回転軸に対して傾斜した姿勢でそれぞれ前記熱交換器室内に突出すると共に、互いの傾斜方向が逆に設定されて作業者が通過可能な間隙を形成している
ことを特徴とする請求項１に記載の建設機械。
【請求項５】
前記各第１の熱交換器の冷却ファンは、同一方向に回転駆動されると共に、フィン形状が逆方向に設定されて外気を前記熱交換器内に導入可能とされている
ことを特徴とする請求項１に記載の建設機械。
【発明の詳細な説明】
【技術分野】
【０００１】
本発明は、動力源としてエンジンを搭載した建設機械に関する。
【背景技術】
【０００２】
この種の建設機械として、例えば特許文献１に記載のクレーン車では、機体中央に設置されたクレーン部の右側前部にキャブ（運転室）が設けられ、クレーン部の右側後部、即ちキャブの後方にエンジンユニットが搭載されている。
【０００３】
エンジンユニットのエンジン収容部内に収容されたエンジンを冷却すべく前方から冷却風を採り入れると、前側に位置するキャブにより妨げられてしまう。そこで、エンジン収容部の後端部に導風口を設け、エンジン収容部の上部前端部の放熱部に後方に開口するように放出口を設けている。これにより後方から導風口を経てエンジン収容部内に冷却風を採り入れることが可能となり、エンジンを冷却後に冷却風をＵターンさせて放出口から排出している。
【０００４】
そして、このように構成されたエンジンユニットでは、エンジン収容部内にエンジンの排気浄化のためのＤＰＦを収容する余地がないことから、エンジン収容部の上側に触媒収容部を画成し、その内部にＤＰＦを収容している。
【先行技術文献】
【特許文献】
【０００５】
【特許文献１】特開２０１５−５８８１３号公報
【発明の概要】
【発明が解決しようとする課題】
【０００６】
しかしながら、特許文献１に記載のクレーン車では、重量物であるＤＰＦが高所に配置されるため、機体の重心位置が高くなって安定性に欠けるという問題が生じる。このような不具合はクレーン車のＤＰＦに限らず、種々の建設機械にエンジンと共に搭載される重量物の機器類に共通する課題である。
【０００７】
例えば油圧ショベルでは、エンジンを動力源とするＨＳＴ（Hydro Static Transmission）を搭載し、エンジンの駆動によりＨＳＴの油圧ポンプから吐出される作動油により、走行用モータ、上部旋回体の旋回用モータ、作業装置（ブーム、アーム、バケット）の各シリンダ等を駆動している。この種のＨＳＴでは作動油の冷却が非常に重要であり、油温上昇は作動油の劣化のみならず、スラッジ発生による作動不良の要因にもなる。
【０００８】
このため、油圧ショベルには作動油を冷却するためのオイルクーラ（熱交換器）が搭載されており、例えば運転質量100ｔ以上の超大型の油圧ショベルでは、多量の作動油を冷却するために複数台の巨大なオイルクーラが必要となる。必然的に、内部を循環する作動油を含めるとオイルクーラはかなりの重量を有するため、上記ＤＰＦと同様に機体の重心位置を低めるべく極力低位置に配置することが望ましい。
【０００９】
そこで、この種の超大型油圧ショベルでは、上部旋回体内に搭載されたＨＳＴのエンジン等に隣接して熱交換器室を画成し、その室内にオイルクーラを収容している。そして、各オイルクーラは熱交換器室の側壁に沿って配設され、側壁に形成された導入口を経て外気が冷却風として各オイルクーラを流通し、その後に熱交換器室の側壁や天井に形成された排出口を経て外部に排出される。
【００１０】
エンジン等と同一高さに配置されたオイルクーラは低重心化には好ましいものの、熱交換器室の面積が隣接するエンジン等から制限を受けるため、元々熱交換器室を容易に拡張できないという事情がある。よって、限られた熱交換器室に各オイルクーラを配置しているが、その配置が従来は不適切であったため、オイルクーラの冷却性能及びメンテナンス性に関する要求を満足できなかった。
【００１１】
まず、オイルクーラの冷却性能を向上するには大型化が有効である。しかしながら、従来は各オイルクーラを流通後の冷却風を一方向に流して円滑に外部に排出することを優先し、例えば、一対のオイルクーラを熱交換器室の直交する２側壁に沿って直角に配置していた。このため、２側壁の隅部に平面視で四角状をなすデッドスペース（縦横が共にオイルクーラの厚み相当分）が形成され、その分だけオイルクーラの大型化が妨げられていた。よって、従来から無駄なデッドスペースを防止できるオイルクーラの配置が要望されていた。
【００１２】
また、オイルクーラの整備や清掃等のメンテナンス作業は、作業者が熱交換器室内に立ち入って内部から実施したり、或いは熱交換器室の外部から実施したりする。内部からのメンテナンス作業には、熱交換器室内に作業スペースを確保する必要があり、外部からのメンテナンス作業には、熱交換器室内に通路スペースを確保して作業者が通り抜けできるようにすることが望ましい。例えば、上記のような２側壁に直角配置された一対のオイルクーラは、作業スペースや通路スペースを確保する上で邪魔になるため、このような不具合を防止できるオイルクーラの配置が要望されていた。
【００１３】
本発明はこのような問題点を解決するためになされたもので、その目的とするところは、機体に画成した熱交換器室内に、デッドスペースを形成することなく複数台の熱交換器を適切に配置して、各熱交換器の大型化による冷却性能の向上を達成できると共に、熱交換器室内に熱交換器のメンテナンスのための作業スペース及び通り抜けのための通路スペースを確保してメンテナンス性を向上することができる建設機械を提供することにある。
【課題を解決するための手段】
【００１４】
上記の目的を達成するため、本発明の建設機械は、機体に画成された熱交換機室と、前記熱交換器室内で所定間隔をおいて対面配置され、それぞれ冷却ファンにより外部から前記熱交換器室内に導入された外気を冷却風として流通させて冷却される少なくとも一対の第１の熱交換器と、前記熱交換器室の第１の側壁における前記両第１の熱交換器の間に相当する箇所に開口形成され、前記各第１の熱交換器を流通して前記熱交換器室内で互いに衝突した冷却風を側方外部に排出する側部排出口とを備えたことを特徴とする。
【発明の効果】
【００１５】
本発明の建設機械によれば、機体に画成した熱交換器室内に、デッドスペースを形成することなく複数台の熱交換器を適切に配置して、各熱交換器の大型化による冷却性能の向上を達成できると共に、熱交換器室内に熱交換器のメンテナンスのための作業スペース及び通り抜けのための通路スペースを確保してメンテナンス性を向上することができる。
【図面の簡単な説明】
【００１６】
【図１】実施形態の油圧ショベルを示す側面図である。
【図２】上部旋回体の詳細を示す平断面図である。
【図３】オイルクーラの配置状態を示す熱交換器室の平断面図である。
【図４】天井排出口を示す熱交換器室の平面図である。
【図５】熱交換器室内での冷却風の流れを示す図３に対応する平断面図である。
【図６】熱交換器室内での冷却風の流れを示す図５のVI-VI線断面図である。
【図７】熱交換器室内での冷却風の流れを示す図５のVII-VII線断面図である。
【図８】油圧モータのシリンダブロックの間をすり抜ける作業者を側部排出口から見たエンジン建屋の斜視図である。
【図９】対面配置されたオイルクーラを流通後の冷却風に同一方向の旋回流を生起させるようにした別例を示す斜視図である。
【発明を実施するための形態】
【００１７】
以下、本発明を鉱山等で稼働する超大型油圧ショベルに具体化した一実施形態を説明する。
図１は本実施形態の油圧ショベルを示す側面図であり、以下の説明では、油圧ショベルに搭乗したオペレータを主体として前後、左右、上下方向を表現する。
【００１８】
油圧ショベル１の下部走行体２にはクローラ３が備えられ、クローラ３は図示しない走行用油圧モータにより駆動されて油圧ショベル１を走行させる。下部走行体２上には旋回装置４を介して上部旋回体５が設けられ、旋回装置４の図示しない旋回用油圧モータの駆動により上部旋回体５が旋回する。上部旋回体５の前部にはオペレータが搭乗するキャブ６が設置され、上部旋回体５の後部にはカウンタウエイト７が固定されている。
【００１９】
上部旋回体５のキャブ６の右側には掘削用の作業装置８が前方に向けて取り付けられ、作業装置８はブーム９、アーム１０及びバケット１１から構成されている。ブーム９はブームシリンダ９ａにより角度変更され、アーム１０はアームシリンダ１０ａにより角度変更され、バケット１１はバケットシリンダ１１ａにより角度変更される。
【００２０】
図２は上部旋回体５の詳細を示す平断面図であり、同図に基づき上部旋回体５の構成をさらに詳述する。
全体として上部旋回体５は、旋回装置４により支持される旋回フレーム１２、旋回フレーム１２の左側に配設された左エンジンユニット１３、旋回フレーム１２の右側に配設された右エンジンユニット１４により構成されている。旋回フレーム１２に対して左右のエンジンユニット１３，１４のユニットベース１３ａ，１４ａ（図１，６に示す）がそれぞれ図示しないボルトで連結されることにより、上部旋回体５が構成されている。
【００２１】
旋回フレーム１２は鋼板を溶接した強固な構造体をなし、その前部には連結部１５が設けられて上記したブーム９の基端が角度変更可能に連結されている。旋回フレーム１２上には作動油タンク１６及び燃料タンク１７が設置され、旋回フレーム１２の後部には上記したカウンタウエイト７が固定されている。
【００２２】
左エンジンユニット１３のユニットベース１３ａは、鋼材を枠状に溶接した強固な構造体をなしている。ユニットベース１３ａ上の前部にはキャブヘッド１９が設けられ、このキャブヘッド１９上に上記したキャブ６が設置されている。キャブ６の後側には直方体状のエンジン建屋２０が構築され、エンジン建屋２０の左側にはメンテナンス作業を実施するための手摺り２１ａを備えた通路２１が設けられ、通路２１は滑り防止及び土砂の堆積防止等を目的としてグレーチングにより構成されている。
【００２３】
エンジン建屋２０内にはＨＳＴの動力源であるエンジン２２が縦置き配置で収容されると共に、図示はしないが、ＨＳＴを構成する制御弁等の各種機器類が設置されている。エンジン建屋２０の後部には、ラジエータ及び冷却ファンからなる冷却ユニット２３が外部に臨むように設けられ、エンジン２２の運転中には、外気が冷却風として冷却ユニット２３を流通してエンジン２２の冷却水が冷却される。
【００２４】
エンジン２２の前部にはＨＳＴの複数の油圧ポンプ２４が取り付けられ、エンジン２２により各油圧ポンプ２４が駆動されて作動油タンク１６に貯留された作動油を吐出するようになっている。キャブ６内に設置された図示しない各種操作機器がオペレータに操作されると、それに応じて制御弁により油圧ポンプ２４からの作動油が切り換えられ、上記した走行用及び旋回用油圧モータや作業装置８のシリンダ９ａ〜１１ａ等の各種アクチュエータに適宜供給され、これにより油圧ショベル１が稼働する。
【００２５】
基本的に右エンジンユニット１４は左エンジンユニット１３と同様の構成であり、相違点は、キャブヘッド１９に代えて熱交換器室２６が備えられた点にあるため、共通箇所は同一部材番号を付して説明を省略し、相違点を重点的に説明する。
【００２６】
右エンジンユニット１４のユニットベース１４ａ上のほぼ全体には直方体状のエンジン建屋２７が構築され、エンジン建屋２７の右側及び前側にはメンテナンス作業を実施するための手摺り２８ａを備えた通路２８が設けられている。
【００２７】
エンジン建屋２７は隔壁２６ｂにより前後に区画され、前側が熱交換器室２６として機能し、後側がエンジン室２９として機能する。熱交換器室２６を主体にすると隔壁２６ｂは後側に位置するため、以下の説明では熱交換器室２６の後壁２６ｂと称する。エンジン室２９内にはＨＳＴのエンジン２２や冷却ユニット２３及び各種機器類が備えられ、エンジン２２の前部の油圧ポンプ２４から吐出された作動油は、上記した左エンジンユニット１３の場合と同じくオペレータの操作に応じて各種アクチュエータに適宜供給される。
【００２８】
熱交換器室２６には、ＨＳＴの作動油を冷却するための３台のオイルクーラ３０〜３２が収容されている。各オイルクーラ３０〜３２内には、ＨＳＴの各油圧ポンプ２４から吐出されてアクチュエータを駆動した後の作動油が流通し、オイルクーラ３０〜３２により冷却された後に作動油タンク１６に戻される。
【００２９】
図３はオイルクーラ３０〜３２の配置状態を示す熱交換器室２６の平断面図、図４は天井排出口を示す熱交換器室２６の平面図、図５は熱交換器室２６内での冷却風の流れを示す図３に対応する平断面図、図６は同じく熱交換器室２６内での冷却風の流れを示す図５のVI-VI線断面図、図７は同じく熱交換器室２６内での冷却風の流れを示す図５のVII-VII線断面図、図８は油圧モータのシリンダブロックの間をすり抜ける作業者を側部排出口から見たエンジン建屋２７の斜視図である。
【００３０】
特に図３，６に示すように、熱交換器室２６は、前壁２６ａ（第１の側壁）、後壁２６ｂ、左側壁２６ｃ（第２の側壁）、右側壁２６ｄ、天井２６ｅ及び床面２６ｆにより画成され、前後方向に長い直方体状をなしている。熱交換器室２６内において２台のオイルクーラ３０，３１は右側壁２６ｄに沿って前後に並んで配設され、残りの１台のオイルクーラ３２は左側壁２６ｃの前部に沿って配設されている。なお、図示はしないが各オイルクーラ３０〜３２は、その上部が熱交換器室２６の天井２６ｅに固定され、下部が床面２６ｆに固定されているが、固定構造は任意に変更可能である。
【００３１】
３台のオイルクーラ３０〜３２の上下長、前後長及び厚み（左右長）は互いに同一に設定されている。また、後述する油圧モータ３４や冷却ファン３５についても同一のもの採用され、結果として３台のオイルクーラ３０〜３２の仕様が共通化され、組付作業等の簡易化が図られている。
【００３２】
そして、各オイルクーラ３０〜３２の上下長は熱交換器室２６の上下長よりも若干短く、前後長は熱交換器室２６の前後長の1/2よりも若干短く、厚み（左右長）は熱交換器室２６の左右長よりも遥かに短く設定されている。従って、熱交換器室２６の右側壁２６ｄのほぼ全ての領域がオイルクーラ３０，３１により覆われ、左側壁２６ｃのほぼ前側半分の領域がオイルクーラ３２より覆われている。
【００３３】
また、熱交換器室２６の前側半分の領域で、オイルクーラ３０とオイルクーラ３２（共に本発明の第１の熱交換器に相当）とが所定の間隔をおいて対面配置され、熱交換器室２６の後側半分の領域では、オイルクーラ３１（本発明の第２の熱交換器に相当）が所定の間隔をおいて左側壁２６ｃと相対向している。
【００３４】
左側壁２６ｃ及び右側壁２６ｄには、各オイルクーラ３０〜３２に対応する四角状をなす外気の導入口３３がそれぞれ開口形成され、各導入口３３には図示しないルーバーが設けられている。図３，６，８に示すように、各オイルクーラ３０〜３２の反壁面側（熱交換器室２６内）にはブラケット３６が上下方向に延設され、その上端はオイルクーラ３０〜３２に連結され、下端は床面２６ｆに固定されている。このブラケット３６を介して斜軸型プランジャ油圧モータ３４（以下、単に油圧モータと称する）が支持され、出力軸に連結された冷却ファン３５（図３に示す）がオイルクーラ３０〜３２に相対向している。対面配置されたオイルクーラ３０，３２については、冷却ファン３５の回転軸線が互いに一致している。
【００３５】
上記した油圧ポンプ２４からの作動油の供給を受けて各油圧モータ３４により冷却ファン３５がそれぞれ回転駆動され、これにより外気が冷却風として導入口３３を経てオイルクーラ３０〜３２を流通した後に、熱交換器室２６内に導入されるようになっている。なお、このようなオイルクーラ３０〜３２の下流側に冷却ファン３５を配置した引込み式に代えて、上流側に冷却ファン３５を配置した押込み式としてもよい。
【００３６】
以上のような各オイルクーラ３０〜３２の配置により、熱交換器室２６内でのデッドスペースの形成が防止される。即ち、［発明が解決しようとする課題］で述べた従来技術のように、熱交換器室の直交する２側壁に沿って一対のオイルクーラを配置すると、２側壁の隅部にデッドスペースが形成されてオイルクーラの大型化が妨げられてしまう。オイルクーラ３０，３２を対面配置させれば、このようなデッドスペースの形成が未然に防止されることから、その分だけ各オイルクーラ３０〜３２を大型化して冷却性能を向上することができる。
【００３７】
また、このような各オイルクーラ３０〜３２の配置は、オイルクーラ３０〜３２をメンテナンスするための作業スペース、及び作業者が行き来するための通路スペースの確保にも大きく貢献する。即ち、対面配置されたオイルクーラ３０，３２の間、及びオイルクーラ３１と熱交換器室２６の左側壁２６ｃとの間には、図３に二点鎖線で示すように空間Ｅが形成されているため、この空間Ｅを作業スペースとして利用し、作業者がオイルクーラ３０〜３２のメンテナンス作業、例えば整備や清掃等を実施することができる。
【００３８】
また、熱交換器室２６の後壁２６ｂにはドア３７が設けられ、前壁２６ａにはオイルクーラ３０，３２を流通後の冷却風を外部に排出するための側部排出口３８が開口形成されている。詳しくは側部排出口３８は、前壁２６ａにおけるオイルクーラ３０とオイルクーラ３２との間に相当する箇所に開口形成され、ドア３７と同様に作業者が通過可能となっている。従って、上記のように熱交換器室２６内に形成された空間Ｅを通路スペースとして利用し、熱交換器室２６の前側の通路２８とエンジン室２９との間を自由に取り抜けできる。
【００３９】
例えば、熱交換器室２６内の作業者がオイルクーラ３０を外側から清掃する場合、仮に熱交換器室２６が通り抜け不能な場合には、図３中に矢印ａで示すように、エンジン室２９及び右側の通路２８を経て目的地点に到達する必要が生じる。本実施形態の場合には、図３中に矢印ｂで示すように、空間Ｅを通路スペースとして利用して側部排出口３８から直接的に目的地点に到達できることから、その移動経路が格段に短縮されてメンテナンス作業を効率よく実施することができる。
【００４０】
以上のように本実施形態では、熱交換器室２６内をオイルクーラ３０〜３２のメンテナンスのための作業スペース及び通り抜けのための通路スペースとして利用できることから、そのメンテナンス性を大幅に向上することができる。
【００４１】
一方、周知のように斜軸型プランジャ油圧モータ３４は、複数のピストンを備えたシリンダブロック３４ａを出力軸（冷却ファン３５の回転軸線と一致）に対して傾斜配置して構成され、各ピストンに作動油の圧力を順次作用させて出力軸に回転力を付与する作動原理を採っている。このためシリンダブロック３４ａは、出力軸に対して傾斜した姿勢でブラケット３６から熱交換器室２６内へと突出している。
【００４２】
図３，８に示すように、対面配置されたオイルクーラ３０，３２の油圧モータ３４については、突出したシリンダブロック３４ａ同士が相対向することになるが、本実施形態では、互いのシリンダブロック３４ａの傾斜方向が逆に設定されている。詳しくは、左側のシリンダブロック３４ａは斜め後方に傾斜し、右側のシリンダブロック３４ａは斜め前方に傾斜している。結果として、互いのシリンダブロック３４ａの間には作業者Ｐがすり抜け可能な間隙Ｇが形成され、これにより上記した通路スペースの形成が達成されている。
【００４３】
この種の油圧ショベル１では、作業者の通路スペースに関する最小幅がISO規格により規定されており、間隙Ｇもこの条件を満足している。そして、例えばシリンダブロック３４ａが同一方向に傾斜している場合、同じ間隙Ｇを形成するには、互いの油圧モータ３４、ひいては対面配置されたオイルクーラ３０，３２を離間させる必要が生じ、限られた熱交換器室２６内では、各オイルクーラ３０，３２の厚みを減少せざるを得ない。シリンダブロック３４ａの傾斜方向を逆設定することにより、規格を満足する間隙Ｇを確保した上で、各オイルクーラ３０，３２の厚みを増大させて一層の冷却能力の向上を達成することができる。
【００４４】
一方、図４に示すように、熱交換器室２６の天井２６ｅには排出口３９，４０が開口形成されている。詳しくは、天井２６ｅにおけるオイルクーラ３０，３２の間に相当する箇所には第１の上部排出口３９が開口形成され、天井２６ｅにおけるオイルクーラｃに対して相対向する左側壁２６ｃの直上には第２の上部排出口４０が開口形成され、それぞれ冷却風が流通可能なようにグレーチングが配設されている。
【００４５】
そして、以上の説明から明らかなように熱交換器室２６はエンジン室２９の前側に隣接して画成され、必然的に熱交換器室２６内のオイルクーラ３０〜３２はエンジン室２９内のエンジン２２と同一高さに設置されている。従って、例えばエンジンの直上の高所にＤＰＦを配置した特許文献１のクレーン車に比較して、本実施形態の油圧ショベル１の重心位置は格段に低くなり、鉱山等の起伏に富んだ地形でも安定した稼働が可能となっている。
【００４６】
次いで、オイルクーラ３０〜３２を流通して冷却作用を奏する際の冷却風の流れについて、図５〜７に基づき説明する。
油圧ショベル１の稼働中には後壁２６ｂのドア３７が閉じられており、油圧モータ３４で回転駆動される冷却ファン３５により、外気が冷却風として各オイルクーラ３０〜３２を流通して熱交換器室２６内に導入される。対面配置されたオイルクーラ３０，３２を流通した冷却風は互いに衝突し、その一部は流路を前方に変更されて側部排出口３８から前方外部に排出され、別の一部は流路を上方に変更されて第１の上部排出口３９から上方外部に排出される。
【００４７】
［発明が解決しようとする課題］で述べた従来技術のように、熱交換器室の直交する２側壁に沿って一対のオイルクーラを配置した場合には、流通後の冷却風が一方向に流れるのに対し、本実施形態では対面配置されたオイルクーラ３０，３２を流通後の冷却風が互いに衝突し、その流れが一方向ではなくなる。このような冷却風の流れでは、一見すると外部への円滑な排出が妨げられることが危惧される。
【００４８】
しかしながら、このような冷却風の流れであっても、十分な排出口の開口面積が確保されていれば何ら問題は生じない。本実施形態では、前壁２６ａにおけるオイルクーラ３０，３２の間に大面積の側部排出口３８が開口し、天井２６ｅにおけるオイルクーラ３０，３２の間に大面積の第１の上部排出口３９が開口しているため、これらの排出口３８，３９を経て衝突後の冷却風が外部に円滑に排出され、さらにごく一部の冷却風は第２の上部排出口４０からも排出される。
【００４９】
また、オイルクーラ３１を流通した冷却風は左側壁２６ｃに衝突して流路を上方に変更され、左側壁２６ｃの直上に開口する大面積の第２の上部排出口４０を経て上方外部に円滑に排出される。
【００５０】
熱交換器室２６内から外部への冷却風の排出が滞ると、オイルクーラ３０〜３２を流通する冷却風の量も減少するため、冷却性能を低下させる要因になる。本実施形態では、上記のように排出口３８〜４０の開口面積が確保されて各オイルクーラ３０〜３２に十分な冷却風が流通するため、大型化により向上したオイルクーラ３０〜３２の冷却性能を最大限に発揮させることができ、結果として油温上昇に起因するトラブルを確実に防止することができる。
【００５１】
ところで、各オイルクーラ３０〜３２の仕様の共通化により、対面配置されたオイルクーラ３０，３２の冷却ファン３５は軸線を一致させた位置関係で逆方向に回転駆動され、それぞれの冷却風は逆方向の旋回流を生起する。このため、それぞれの冷却風は左右から互いに衝突するだけでなく、軸線を中心とした旋回方向においても互いに衝突し、これにより生じた冷却風の大きな乱れは外部への円滑な排出を妨げる方向に作用する。そこで、この点を解消するために、それぞれの冷却風に同一方向の旋回流を生起させる対策が考えられ、以下に別例として説明する。
【００５２】
図９は対面配置されたオイルクーラ３０，３２を流通後の冷却風に同一方向の旋回流を生起させるようにした別例を示す斜視図である。
この別例においては、対面配置されたオイルクーラ３０，３２の油圧モータ３４により冷却ファン３５が同一方向に回転駆動され、例えば図８中のＡ矢視方向から見た場合には、共に矢印で示す反時計回りに冷却ファン３５が回転駆動される。そして、何れの冷却ファン３５も外気を熱交換器室２６内に導入させるべく、そのフィン形状が互いに逆方向に設定されている。
【００５３】
従って、それぞれの冷却ファン３５により同一方向の旋回流が生起され、左右から互いに衝突するものの、軸線を中心とした旋回方向においては衝突よりも寧ろ合流するような流れの状態となる。このため、冷却風は大きな乱れを生じることなく各排出口３８，３９から外部に円滑に排出され、上記実施形態よりもオイルクーラ３０，３２の冷却性能を一層向上することができる。
【００５４】
以上で実施形態の説明を終えるが、本発明の態様はこの実施形態に限定されるものではない。例えば上記実施形態では超大型油圧ショベル１に具体化したが、熱交換器室２６内に複数の熱交換器を収容した大型の建設機械であれば、これに限るものではなく、例えば大型のホイールローダに適用してもよい。
【００５５】
また上記実施形態では、ＨＳＴの作動油を冷却する３台のオイルクーラ３０〜３２を熱交換器として熱交換器室２６内に収容したが、適用対象となる熱交換器はこれに限るものではない。例えば、エンジン冷却水を冷却するラジエータに適用し、上記実施形態と同様の配置で熱交換器室２６内に収容してもよい。
【００５６】
また、オイルクーラ３０〜３２の配置や台数を変更してもよく、例えば図３においてオイルクーラ３０，３２を完全に対面配置することなく、前後方向に互いにずれた位置関係に配置してもよい。また、左側のオイルクーラ３２を後方に位置変更して、右側のオイルクーラ３０，３１のそれぞれ半分の領域と対面配置させてもよい。これらの配置も本発明の対面配置に含まれるものとする。さらに、例えばオイルクーラが２台の場合にはそれらを対面配置し、４台の場合には２台ずつ対面配置させてもよい。
【符号の説明】
【００５７】
１  油圧ショベル（建設機械）
２６  熱交換器室
２６ａ  前壁（第１の側壁）
２６ｃ  左側壁（第２の側壁）
２６ｅ  天井
３０，３２  オイルクーラ（第１の熱交換器）
３１  オイルクーラ（第２の熱交換器）
３４  斜軸型プランジャ油圧モータ
３４ａ  シリンダブロック
３５  冷却ファン
３８  側部排出口
３９  第１の上部排出口
４０  第２の上部排出口
Ｇ  間隙
【図１】
2020023790.tif 000003
【図２】
2020023790.tif 000004
【図３】
2020023790.tif 000005
【図４】
2020023790.tif 000006
【図５】
2020023790.tif 000007
【図６】
2020023790.tif 000008
【図７】
2020023790.tif 000009
【図８】
2020023790.tif 000010
【図９】
2020023790.tif 000011